(57)【特許請求の範囲】
【請求項１】
穂先や刷毛を塗布部材として用いた筆記具や化粧具のキャップであって、外キャップ１の内部に内キャップ８を具えた２重キャップ構造を有して、その外キャップ１の天板２に通気孔３を穿設するとともに、外キャップ１の内面に開口側端縁部４から天板側へ向かって軸方向の通気溝５を設け、又、内キャップ８の外面に外キャップ１の内面に設けた凸部９と係止可能な抜け止め用の周方向の突条１０を設けるとともに、その内キャップ８の突条１０にその突条１０の内側と外側を開通させる通気用の切通し１２を設けたことを特徴とする筆記具、化粧具等のキャップ。
【請求項２】
筆記具又は化粧具の軸から外した状態で、内キャップ８の開口側端縁部１３を外キャップ１の開口側端縁部４より少し外側へ突出させた請求項１記載の筆記具、化粧具等のキャップ。
【発明の詳細な説明】
【０００１】
【発明の属する技術分野】
本発明は筆記具、化粧具等のキャップ、特に、外キャップの中に内キャップを具えた２重キャップ構造で、誤って飲み込んで喉に詰まっても窒息を回避できる安全なキャップに関する。
【０００２】
【従来の技術】
図５及び図６に示すように、キャップ１９にクリップ２０が付いていれば、キャップ１９とクリップ２０との間に通気路となる隙間２１が生じるので、誤って飲み込んで喉に詰まっても窒息する危険は少ない。
【０００３】
しかしながら、デザイン又は機能上の問題でクリップを付けることができない場合は、通気路を確保するために２重キャップ構造としなければならない。すなわち、外キャップと内キャップとの間に通気路を設けなければならない。
【０００４】
ところで、穂先や刷毛を塗布部材として用いた筆記具や化粧具では、その穂先や刷毛に十分なインクや化粧液を含ませるために、穂先や刷毛となる繊維束の径を大きくする必要があるので、その穂先や刷毛を取付ける軸の径も大きくならざるを得ない。
【０００５】
一方、キャップの外径は、デザイン的な問題で、軸の外径と同一にすることが好ましいので、穂先や刷毛を用いた筆記具や化粧具のキャップの外径も大きくなる。
【０００６】
２重構造のキャップにおいて、十分な通気路を確保するには、外キャップの内径と内キャップの外径の差を大きくする必要があるが、内キャップはその内部に穂先や刷毛を収容する関係でその外径をあまり小さくできないので、外キャップの内径を大きくする必要がある。しかしながら、外キャップの外径は、上記のように、軸の外径に合わせて大きくならざるを得ず、これを更に大きくすると、使い勝手が悪くなり、見栄えも悪くなり、筆記具ケース等への収納も困難になる等の弊害がある。
【０００７】
すなわち、穂先や刷毛を塗布部材として使用し、かつ、キャップを２重構造とした筆記具や化粧具は、そのキャップの外径の増大を抑えようとすると、窒息回避用の通気路を十分に確保することが困難であった。
【０００８】
【発明が解決しようとする課題】
そこで本発明は、穂先や刷毛を塗布部材として用いた筆記具や化粧具に被着するものであって、内キャップと外キャップの２重キャップ構造を有するにも拘らず、その外キャップの外径の増大を抑えることができ、かつ、誤って飲み込んで喉に詰まっても窒息しないように十分な通気路を確保できるキャップの提供を課題とする。
【０００９】
【課題を解決するための手段】
上記の課題を解決するために、本発明の筆記具、化粧具等のキャップは、穂先や刷毛を塗布部材として用いた筆記具や化粧具のキャップであって、外キャップ１の内部に内キャップ８を具えた２重キャップ構造を有して、その外キャップ１の天板２に通気孔３を穿設するとともに、外キャップ１の内面に開口側端縁部４から天板側へ向かって軸方向の通気溝５を設け、又、内キャップ８の外面に外キャップ１の内面に設けた凸部９と係止可能な抜け止め用の周方向の突条１０を設けるとともに、その内キャップ８の突条１０にその突条１０の内側と外側を開通させる通気用の切通し１２を設けたことを特徴とする、という構成を採るものである。
【００１０】
なお、キャップを２重構造にすると、その内キャップ８と外キャップ１の間の隙間に穂先や刷毛等塗布部材の先端を誤って挿入してしまうことがあるので、これを防止するために、筆記具又は化粧具の軸から外した状態で、内キャップ８の開口側端縁部１３を外キャップ１の開口側端縁部４より少し外側へ突出させることが好ましい。
【００１１】
【実施例】
以下、図１乃至図４に示した実施例の筆記具について説明する。まず、図中、符号１が外キャップを示している。この外キャップ１は一端が開口し、他端は天板２によって閉じているが、その天板２には外キャップ１の内部空間を外部に開通させる不連続なサークル状の通気孔３を穿設している。
【００１２】
また、外キャップ１は、その内面における周方向の複数箇所に、開口側端縁部４から長手方向の略中間部まで達する軸方向の通気溝５を設けている。
【００１３】
さらに、外キャップ１は、開口側端縁部４に近い内面における周方向の複数箇所に、上記の通気溝５の位置と一致しないように、筆記具軸６に対して係止可能な凸部７を設けるとともに、それより少し奥の内面における周方向の複数箇所にも、同じく通気溝５の位置と一致しないように、後述する内キャップ８に対して係止する凸部９を設けている。
【００１４】
内キャップ８は、もちろん、外キャップ１の内部に収容されている。この内キャップ８は、外面における長手方向の略中間部に、上記の外キャップ１の凸部９の内側に係止する周方向の突条１０を設けている。
【００１５】
この内キャップ８の突条１０と、外キャップ１の天板２との間にはスプリング１１を配設している。このスプリング１１により内キャップ８は外キャップ１の開口側へ加圧されているが、上記のように内キャップ８の突条１０が外キャップ１の凸部９に係止するので、内キャップ８は外キャップ１に対し抜け止めされている。
【００１６】
内キャップ８の突条１０における周方向の複数箇所には、その突条１０の内外を開通させる軸方向の通気用の切通し１２を設けている。この切通し１２の数と上記の外キャップ１に設けた凸部９の数は異なっている。これは、凸部９と切通し１２の数を一致させると、凸部９と切通し１２の位置が一致して凸部９が切通し１２を塞いで通気を阻害する恐れがあるからである。
【００１７】
キャップを筆記具軸６から外した状態では、図３に示すように、外キャップ１の開口側端縁部４よりも内キャップ８の開口側縁部１３の方が少し外側へ突出するように設計してある。
【００１８】
また、キャップを筆記具軸６から外した状態のとき、外キャップ１の開口側端縁部４における外キャップ１と内キャップ８との間に形成される隙間１４の開口面積が６．８ｍｍ2 以上となるように設計してある。なお、より好ましいのは１０ｍｍ2 以上である。この開口面積を有することにより８ｌ／ｍｉｎ（１．３３ｋＰａ，ＲＴ）以上の通気量を確保することができ、誤って飲み込んで喉に詰まっても窒息を回避することができる。なお、外キャップ１の外径は筆記具軸６の外径と等しく１２〜１５ｍｍの範囲に設定している。
【００１９】
図４に示すように、キャップを筆記具軸６の前端の外面がテーパ状の先軸部１５に被せると、先軸部１５の前端部と先軸部１５から突出した穂先１６が内キャップ８の内部に挿入する。なお、内キャップ８の内面には先軸部１５の外周面に気密に接触するシール部１７を設けている。そして、内キャップ８は先軸部１５に押されて、スプリング１１を圧縮しながら外キャップ１の奥の方へ移動し、先軸部１５に設けた凸部１８が上記の外キャップ１の凸部７に係止して閉蓋状態が維持される。
【００２０】
なお、上記の実施例は筆記具に関するものであるが、本発明はもちろん化粧具に実施することも可能である。
【００２１】
【発明の効果】
本発明の筆記具、化粧具等のキャップの構造は上記の通りであり、外キャップ１の内面に設けた通気溝５に加えて、内キャップ８の外面の突条１０に通気用の切通し１２を設けたことによって、外キャップ１と内キャップ８の間に十分な広さの通気路を確保するこができるので、誤って飲み込んで喉に詰まらせても窒息を確実に回避できるという効果がある。
また、外キャップ１と内キャップ８とを有する２重キャップ構造にも拘らず、通気路は外キャップ１の内面に設けた通気溝５と、内キャップ８の外面の突条１０に設けた切通し１２とによって構成することにより、外キャップ１と内キャップ８の間の隙間を拡げなくてもすむので、外キャップ１の外径の増大を抑えることができ、これにより使い勝手の向上と携帯性の向上という効果が得られる。
また、請求項２記載のように、筆記具や化粧具の軸から外した状態で、内キャップ８の開口側端縁部１３を外キャップ１の開口側端縁部４よりも少し外側へ突出させたことによって、筆記具や化粧具の軸に被着する場合に、手元が狂って、穂先や刷毛が外キャップ１と内キャップ８の間の隙間に挿入するのを防止することができる。
【図面の簡単な説明】
【図１】天板側の側面図である。
【図２】開口側の側面図である。
【図３】図２のＡ−Ａ線における断面図である。
【図４】筆記具軸に被着した状態の断面図である。
【図５】従来例の天板側の側面図である。
【図６】図５のＢ−Ｂ線における断面図である。
【符号の説明】
１  外キャップ
２  天板
３  通気孔
４  開口側端縁部
５  通気溝
６  筆記具軸
７  凸部
８  内キャップ
９  凸部
１０  突条
１１  スプリング
１２  切通し
１３  開口側端縁部
１４  隙間
１５  先軸部
１６  穂先
１７  シール部
１８  凸部
１９  キャップ
２０  クリップ
２１  隙間
【図１】
0004104216.tif 000002
【図２】
0004104216.tif 000003
【図３】
0004104216.tif 000004
【図４】
0004104216.tif 000005
【図５】
0004104216.tif 000006
【図６】
0004104216.tif 000007